(57)【要約】【課題】  狭いマンホール内にポンプ取付台を設置する際に設置位置を容易に決めることができるポンプ取付台及び該ポンプ取付台を使用したマンホールポンプ装置を提供すること。【解決手段】  マンホール１内に据え付けられポンプを設置するためのポンプ取付台であって、ポンプ取付台２はマンホール１上端開口部から該マンホール内に搬入できる形状寸法であり、該マンホール１内に搬入し略水平状態にして該マンホール１内壁面にカットした２個の隅点２ａ、２ａ接触又は近接させて位置決めできるように構成した。【選択図】図４
2006307516.tif 000002
【特許請求の範囲】
【請求項１】
マンホール内に据え付けられポンプ取付用着脱装置及びポンプを設置するためのポンプ取付台であって、
前記ポンプ取付台は前記マンホール上端開口部から該マンホール内に搬入できる形状寸法であり、該マンホール内に搬入し略水平状態にして該マンホール内壁面に２点以上接触又は近接させて位置決めできるように構成したことを特徴とするポンプ取付台。
【請求項２】
請求項１に記載のポンプ取付台において、
前記ポンプ取付台は、２台以上のポンプ取付台が並べて配置された構成であることを特徴とするポンプ取付台。
【請求項３】
請求項１又は２に記載のポンプ取付台において、
前記ポンプ取付台が繊維強化プラスチックで形成されていることを特徴とするポンプ取付台。
【請求項４】
マンホール内にポンプ取付用着脱装置、ポンプ取付台、及びポンプを配設した構成のマンホールポンプ装置において、
前記ポンプ取付台として前記請求項１乃至３に記載のポンプ取付台を用いたことを特徴とするマンホールポンプ装置。
【発明の詳細な説明】
【技術分野】
【０００１】
本発明は、下水中継用水槽、汚水排水用水槽及びマンホールポンプ装置のマンホール内に設置して使用するポンプ取付台に関するものであり、マンホール内における油脂などの有機質成分の流入によるスカム形成をできるだけ少なくし得るように工夫されたポンプ取付台及び該ポンプ取付台を用いたマンホールポンプ装置に関するものである。
【背景技術】
【０００２】
図１は乃至図３は、従来のこの種のマンホールポンプ装置の構成を示す図で、図１はマンホールポンプ装置の全体構成を示す縦断面図、図２は水平断面図、図３は下部の縦断面図である。マンホール１の底部にポンプ取付台２が据え付けられている。該ポンプ取付台２はマンホール１が完成した後でも、マンホールの上端開口部４から据え付けができるように、図２に示すように分割して繊維強プラスチックで形成されている。各ポンプ取付台２の略中央部にポンプ取付用着脱装置５が載置される平坦なポンプ取付用着脱装置着座部３が形成され、該ポンプ取付用着脱装置着座部３の端部に隣接して円筒状の予旋回凹部７が形成されている。なお、１４はポンプ取付台２上に流入した液を予旋回凹部７に導くための液流入路部である。
【０００３】
上記構成のポンプ取付台２を２個、マンホール１の底部に隙間なく並べて配置している。ポンプ９やポンプ取付用着脱装置５の荷重を支えるためとマンホール１の底部に固定するため、ポンプ取付用着脱装置着座部３の下部に金属製の架台６を設け、さらにポンプ取付台２の下面とマンホール１の底部壁面との間にコンクリート１０を充填している。ポンプ９の据え付けは鎖（図示せず）でポンプ９を吊下げ、更にガイドパイプ１２を上下するスライドガイド１３でポンプ９をガイドパイプ１２に沿って案内し、ポンプ９の吐出口がポンプ取付用着脱装置５に一致するまで下降させ、ポンプ９をポンプ取付用脱着装置５に装着する。これにより、ポンプ９の吸込口９ａはポンプ取付台２の予旋回凹部７に挿入され配置される。このようにして２台のポンプ９をそれぞれポンプ取付台２、２に据え付ける。
【発明の開示】
【発明が解決しようとする課題】
【０００４】
上記のように従来のマンホールポンプ装置用のポンプ取付台２は、マンホール１が完成した後でも、マンホール１の上端開口部４から搬入して据え付けができる大きさに分割して製作していた。しかしながら、このように分割して製作したポンプ取付台２を設置する場合、ポンプ取付台２を必ずマンホール１内のどの位置に設置するか位置決めして実施する必要がある。このため、設置前にマンホール１内のどの位置に設置するのか事前に位置決めを行って、マーキングしてからポンプ取付台２をマンホール１内に搬入する必要があった。
【０００５】
本発明は上述の点に鑑みてなされたもので、狭いマンホール内にポンプ取付台を設置する際に設置位置を容易に決めることができるポンプ取付台及び該ポンプ取付台を使用したマンホールポンプ装置を提供することを目的とする。
【課題を解決するための手段】
【０００６】
上記課題を解決するため請求項１に記載の発明は、マンホール内に据え付けられポンプ取付用着脱装置及びポンプを設置するためのポンプ取付台であって、前記ポンプ取付台は前記マンホール上端開口部から該マンホール内に搬入できる形状寸法であり、該マンホール内に搬入し略水平状態にして該マンホール内壁面に２点以上接触又は近接させて位置決めできるように構成したことを特徴とする。
【０００７】
請求項２に記載の発明は、請求項１に記載のポンプ取付台において、ポンプ取付台は、２台以上のポンプ取付台が並べて配置された構成であることを特徴とする。
【０００８】
請求項３に記載の発明は、請求項１又は２に記載のポンプ取付台において、前記ポンプ取付台が繊維強化プラスチックで形成されていることを特徴とする。
【０００９】
請求項４に記載の発明において、マンホール内にポンプ取付用着脱装置、ポンプ取付台、及びポンプを配設した構成のマンホールポンプ装置において、前記ポンプ取付台として前記請求項１乃至３に記載のポンプ取付台を用いたことを特徴とする。
【発明の効果】
【００１０】
請求項１乃至３に記載の発明によれば、ポンプ取付台をマンホール内に搬入できる形状寸法とし、該マンホール内に搬入し略水平状態にして該マンホール内壁面に２点以上接触又は近接させて位置決めできるように構成したので、狭いマンホール内にポンプ取付台を設置する際に該ポンプ取付台の設置位置を容易に決めることができる。
【００１１】
請求項４に記載の発明によれば、ポンプ取付台として前記請求項１乃至３に記載のポンプ取付台を用いたので、マンホールポンプ装置を設置する際、狭いマンホール内でポンプ取付台の設置位置の位置決めが容易となるから、その後ポンプ取付用着脱装置及びポンプ取付台の設置作業も含めて設置作業が短時間で容易に実施できる。
【発明を実施するための最良の形態】
【００１２】
以下、本発明の実施の形態例を図面に基づいて説明する。図４及び図５は本発明に係るポンプ取付台を使用したマンホールポンプ装置のマンホール底部の構成を示す図で、図４は平断面図、図５は縦断面図（図４のＢ−Ｂ矢視断面）である。図４及び図５において、図１乃至図３と同一符号を付した部分は同一又は相当部分を示す。なお、他の図面においても同様とする。ポンプ取付台２は１個からなり、マンホール１の上端開口部４（図１参照）からマンホール１内に搬入できる形状寸法（大きさ）となっており、繊維強化プラスチックで形成されている。そして図４に示すように、平面形状の全体が矩形状で中央部に平坦なポンプ取付用着脱装置着座部３が２個所設けられ、該２個のポンプ取付用着脱装置着座部３、３のポンプ吐出し方向（矢印Ａ方向）とは反対方向の端部に隣接してポンプの吸込口が挿入される（図２及び図３参照）円筒筒状の予旋回凹部７が設けられている。
【００１３】
また、２つのポンプ取付用着脱装置着座部３、３を挟んで両側にはポンプ取付台２上に流入した液を予旋回凹部７、７に導く２つの液流入路部１４、１４が設けられている。該各液流入路部１４、１４から各予旋回凹部７、７に流入する液は該予旋回凹部７の内壁面の接線方向に流入するようになっている。ポンプ取付台２、２は２箇所でマンホール１の内壁面に接するように隅部２ａがカットされている。
【００１４】
ポンプ取付台２でポンプ９やポンプ取付用着脱装置５の荷重を支えるため（図１参照）とポンプ取付台２をマンホール１の底部に固定するため、図５に示すようにポンプ取付用着脱装置着座部３の下部に金属製の架台６が設けられ、ポンプ取付台２の下面とマンホール１の底面及び側部壁面で囲まれた空間にはコンクリート１０を充填する。
【００１５】
上記のように、ポンプ取付台２が２箇所でマンホール内壁面に接触できるように、隅部２ａをカットしておくことにより、ポンプ取付台２を据え付ける際の位置決め作業が容易となる。なお、隅部２ａの２個所をマンホール内壁面に接触させるのではなく、所定の間隔を設けて接近させても容易に位置決めできる。また、接触又は接近個所は２個所に限定されるものではなく、２箇所以上であればよい。
【００１６】
上記のようにポンプ取付台２を位置決め設置し、下部にコンクリート１０を充填した後、ポンプ取付台２のポンプ取付用着脱装置着座部３の上にポンプ取付用着脱装置５を載置し、該ポンプ取付用着脱装置５にポンプ９を装着する点は、図１及び図３の従来例と全く同様である。
【００１７】
図６は本発明に係る他のポンプ取付台を使用したマンホールポンプ装置のマンホール底部の構成を示す平断面図である。なお、図６のＣ−Ｃ矢視断面は図５と略同じであるので、その図示は省略する。図示するように、本マンホールポンプ装置では２台のポンプ取付台２、２を同一方向（矢印Ａで示すポンプ吐出し方向に直交する方向）に間に隙間無なく並べて設置している。そして一方のポンプ取付台２の両隅部２ａ、２ａをマンホール１の内壁面に接触させて位置決めしている。これにより、並べて配置されたポンプ取付台２、２の位置決めが容易となる。なお、隅部２ａの２個所をマンホール内壁面に接触させるのではなく、所定の間隔を設けて接近させても容易に位置決めできる。また、接触又は接近個所は２個所に限定されるものではなく、２箇所以上であればよい。
【００１８】
以上本発明の実施形態を説明したが、本発明は上記実施形態に限定されるものではなく、特許請求の範囲、及び明細書と図面に記載された技術的思想の範囲内において種々の変形が可能である。例えば、上記例ではポンプ取付台を繊維強化プラスチックで形成したが、強度が得られるのであれば、他のプラスチック或いは他の材料でもよい。
【図面の簡単な説明】
【００１９】
【図１】従来のマンホールポンプ装置の全体構成を示す縦断面図である。
【図２】従来のマンホールポンプ装置の水平断面図である。
【図３】従来のマンホールポンプ装置の下部縦断面図である。
【図４】本発明に係るマンホールポンプ装置のマンホール底部の構成を示す平断面図である。
【図５】本発明に係るマンホールポンプ装置のマンホール底部の構成を示す縦断面図である。
【図６】本発明に係るマンホールポンプ装置のマンホール底部の構成を示す平断面図である。
【符号の説明】
【００２０】
１      マンホール
２      ポンプ取付台
３      ポンプ取付用着脱装置着座部
４      上端開口部
５      ポンプ取付用着脱装置
６      架台
７      予旋回凹部
９      ポンプ
１０    コンクリート
１１    ポンプ取付台固定用穴
１２    ガイドパイプ
１３    スライドガイド
１４    液流入路部
【図１】
2006307516.tif 000003
【図２】
2006307516.tif 000004
【図３】
2006307516.tif 000005
【図４】
2006307516.tif 000006
【図５】
2006307516.tif 000007
【図６】
2006307516.tif 000008